(57)【特許請求の範囲】
【請求項１】
一側面に、互いに離間した一対の凹部を有する筺体であって、前記凹部は前記一側面にのみ開口する筺体と、
前記一対の凹部の内部にそれぞれ形成され、先端部が屈曲した略Ｕ字型の断面形状を有し前記凹部を二分するよう突出した一対の接点端子であって、前記先端部は前記凹部の開口方向を向いて、前記一側面と同面の平面よりも前記凹部の内部に配置され、前記接点端子の両側面は前記先端部の開口する両側に延在して、前記凹部の開口方向に垂直な方向にある前記凹部の表面と離隔して配置される一対の接点端子と、
を有するバッテリパックにおいて、
前記接点端子の両側面が、二分された凹部内で外部機器の端子によって挟持されることで複数の接点をもって接触するバッテリパック。
【請求項２】
飲食店等で使用されるハンディターミナルに用いるバッテリパックであって、
一側面に、互いに離間した一対の凹部を有する筺体であって、前記凹部は前記一側面にのみ開口し、前記筐体の前記一側面以外の側面に開口しない筺体と、
前記一対の凹部の内部にそれぞれ形成され、先端部が屈曲した略Ｕ字型の断面形状を有し前記凹部を二分するよう突出した一対の接点端子であって、前記先端部は前記凹部の開口方向を向いて、前記一側面と同面の平面よりも前記凹部の内部に配置され、前記接点端子の両側面は前記先端部の開口する両側に延在して、前記凹部の開口方向に垂直な方向にある前記凹部の表面と離隔して配置される一対の接点端子とを有し、
前記接点端子の両側面が、二分された凹部内で外部機器の端子によって挟持されることで複数の接点をもって接触するバッテリパック。
【請求項３】
請求項２に記載のバッテリパックの、前記一対の接点端子の両側面を挟持することによって、複数の接点をもって接触する一対の端子を有する充電器。
【請求項４】
請求項２に記載のバッテリパックの、前記一対の接点端子の両側面を挟持することによって、複数の接点をもって接触する一対の端子を有するハンディターミナル。
【発明の詳細な説明】
【０００１】
【発明の属する技術分野】
本発明は、外食関係（レストラン、居酒屋、ファーストフード等）で使用するシステムの１つ、ハンディターミナルのバッテリパックの構造に関する。
【０００２】
【従来の技術】
図１に従来のバッテリパック１を示す。従来、外食関係（レストラン、居酒屋、ファーストフード等）で使用するシステムの１つ、ハンディターミナルのバッテリパック１は、使用環境上バッテリ交換時または充電器挿入時に接触端子部分であるプラス極２とマイナス極３を素手で触られ、その時に汚れが付着していた。また、ハンディターミナル側の接点４，５がプラス極２・マイナス極３それぞれに対し、１点づつであった。そのため、接触不良が発生しやすかった。また、同一面にプラス極とマイナス極を配置している関係で、たとえばレストランの厨房のステンレスのテーブルの上に無造作に置くとショートするおそれがあった。
【０００３】
【発明が解決しようとする課題】
外食関係（レストラン、居酒屋、ファーストフード等）での使用環境上、バッテリパックの端子部には、かならずと言っていいほど汚れが付着する。従って、汚れは、付くが接触不良を起こさないようにする。また、接触不良・瞬時停電など起こさないための接触が十分に確保できるようにする。さらに、どんなに無造作に扱われたり、放置されたりしても、ショートなどしないための接点レイアウトにする。
【０００４】
【課題を解決するための手段】
本発明のバッテリパックでは、プラス極とマイナス極の両極それぞれ、バッテリパック筐体の一部をくぼませた部分にレイアウトし、接点の端子接触部分は、指などが入らない構造とし、汚れの付着防止をした。また、それでもなにかの汚れが付着し、その部分で、接触不良や瞬時停電が発生しない様、多点接点が可能な様に、接点端子をＵ字形にし、接触面積を確保できるようにした。また、Ｕ字形に曲げた接点の先端もバッテリパック筐体の最外周より奥にレイアウトし、ショートしない構造とした。
【０００５】
【発明の実施の形態】
本発明のバッテリパックでは、プラス極とマイナス極の両極それぞれ、バッテリパック筐体の一部をくぼませた部分にレイアウトし、接点の端子接触部分は、指などが入らない構造とした。それにより接点端子の最もバッテリパック筐体の表面に近い部分は、触れるものの、ハンディターミナルや充電器の接点端子との接触部分には、指などが届かないため汚れの付着を防止できる。また、直接指などが触れることが原因で付着する汚れ以外は、接点端子の全面を汚れが覆わない限り、相手側（ハンディターミナル・充電器）の接点端子を多点接点にしておけば、必ずどこかで点接触できるだけの接触面積をもてる様、Ｕ字形の端子構造とした。これにより、相手側（ハンディターミナル・充電器）の接点が、汚れに乗り上げ接触不良や瞬時停電を引き起こすことを防止した。また、Ｕ字形に曲げた接点の先端もバッテリパック筐体の最外周より奥にレイアウトし、不注意に金属性のトレイやテーブルの上に置いてもショートしない構造とした。
【０００６】
【実施例】
実施例について図面を参照して説明すると、図２において、バッテリパック１１の外観を示す。本実施例のバッテリパック１１では、プラスとマイナスの２つの接点端子部を有しており、プラス極１２とマイナス極１３の両極それぞれ、バッテリパック筐体の一部をくぼませた部分１４にレイアウトし、接点の端子接触部分は、指などが入らない構造とした。また、図２においてプラス極１２の拡大図を示す。この図３よりプラス極１２の最もバッテリパック筐体の表面に近い部分２１は、触れるものの、ハンディターミナルや充電器の接点端子との接触部分２２には、指などが届かないため汚れの付着を防止できる。また、直接指などが触れることが原因で付着する汚れ以外は、接点端子の全面を汚れが覆わない限り、図４で示す通り、相手側（ハンディターミナル・充電器）の接点端子のプラス極４１、マイナス極４２を多点接点にしておけば、必ずどこかで点接触できるだけの接触面積をもてる様、Ｕ字形の端子構造とした。これにより、相手側（ハンディターミナル・充電器）の接点が、汚れに乗り上げ接触不良や瞬時停電を引き起こすことを防止した。また、Ｕ字形に曲げた接点の先端もバッテリパック筐体の最外周より奥にレイアウトし、不注意に金属性のトレイやテーブルの上に置いてもショートしない構造とした。
【０００７】
【発明の効果】
この発明は、以上説明したように接点につきものの接触不良を改善するためのもので、使用環境の変更は、不可能な為接点端子への汚れをつきづらくする方法とそれでも付いた場合の接触不良の対策の２面からの構造である。多少汚れた素手でバッテリパックを触られても接点自体をバッテリパックのくぼみにレイアウトすることで、接点の接触部分を触ることはないので、手からの汚れの付着はなくなるという効果がある。また、Ｕ字形の端子構造にしたことにより、接触面積の拡大が実現でき、直接指などが触れることが原因で付着する汚れ以外は、接点端子の全面を汚れが覆わない限り、相手側（ハンディターミナル・充電器）の接点端子を多点接点にすることで、汚れに接点が乗り上げる確率を下げ、それによる接触不良や瞬時停電を無くすことができる効果がある。さらに、Ｕ字形構造の端子の最先端部をバッテリパック筐体の最外周より奥に引っ込めたことにより、無造作に金属性のトレイやテーブルの上にバッテリパックを置いても電気的にショートしない様、安全性の対策効果もある。
【図面の簡単な説明】
【図１】従来のバッテリパック構造図である。
【図２】本発明のバッテリパックの外観図である。
【図３】本発明のバッテリパック接点端子部の拡大図である。
【図４】本発明のバッテリパック接点端子部の図である。
【符号の説明】
１    従来のバッテリパック
２    バッテリパック側プラス極
３    バッテリパック側マイナス極
４    ハンディターミナル側プラス極
５    ハンディターミナル側マイナス極
１１  バッテリパック
１２  プラス極
１３  マイナス極
１４  バッテリパック筐体のくぼみ
２１  Ｕ字形接点端子の先端部
２２  接点接触部分
４１  ハンディターミナル又は、充電器側のプラス極
４２  ハンディターミナル又は、充電器側のマイナス極
【図１】
0003929642.tif 000002
【図２】
0003929642.tif 000003
【図３】
0003929642.tif 000004
【図４】
0003929642.tif 000005